(57)【要約】  航空機乗客座席組立体は、少なくとも１つの座席背もたれ、座席底面、および、複数の座席脚部が取り付けられた座席枠と、一体型床板座席軌道が中に取り付けられ、航空機デッキに取り付けるために適合した少なくとも１つの座席床板とを含む。取り付けレールが航空機胴体側壁に取り付けられ、脚部軌道締結装置が座席脚部を床板座席軌道に着脱式に固定し、枠座席締結装置が座席枠を側壁に取り付けられたレールに取り付ける。【選択図】図１
2013522122.tif 000002
【特許請求の範囲】
【請求項１】
（ａ）少なくとも１つの座席背もたれ、座席底面、および、複数の座席脚部が取り付けられた座席枠と、
（ｂ）一体型床板座席軌道が内部に取り付けられ、航空機デッキに取り付けられるように構成されている少なくとも１つの座席床板と、
（ｃ）航空機胴体側壁に取り付けられるように構成されている取り付けレールと、
（ｄ）前記座席脚部を前記床板座席軌道に着脱式に固定するための脚部軌道締結装置、及び、前記座席枠を前記側壁に取り付けられたレールに取り付けるための枠座席締結装置と、
を備える航空機乗客座席組立体。
【請求項２】
前記枠は、複数の横方向に位置付けられた座席を画定する、請求項１に記載の航空機乗客座席組立体。
【請求項３】
前記航空機デッキは、床板に取り付けられた前記一体型座席軌道から横方向へオフセットした位置において前記航空機デッキの長さに沿って縦方向に延在する座席取り付け軌道を含む、請求項１に記載の航空機乗客座席組立体。
【請求項４】
前記取り付けレールは、前記座席底面の高さに近似する高さで胴体の長さに沿って縦方向に延在するために適合している、請求項１に記載の航空機乗客座席組立体。
【請求項５】
前記取り付けレールは、前記座席底面の高さに近似する高さで胴体の長さに沿って縦方向に延在するために適合し、前記座席組立体の隣接する枠要素によって支えられている締結装置を受承する規則的に離間した取り付け穴を含む、請求項１に記載の航空機乗客座席組立体。
【請求項６】
個々の座席底面は、この座席底面の左右の側面の少なくとも一方の下から、
（ａ）前記座席底面の前方エッジ付近から前記座席底面の前記前方エッジより前方の前記床板座席軌道上の位置まで延在する前方脚部と、
（ｂ）前記座席底面の後方エッジ付近から前記座席底面の前記後方エッジより後方の位置まで、前記座席底面の前記後方エッジより後方の前記床板座席軌道上の位置まで延在する後方脚部と、前記前方脚部と前記座席底面との交点付近の位置から前記後方脚部と前記床底面座席軌道との交点付近の位置まで延在し、前記座席と前記座席に着席している乗客との重量を前記前方脚部と前記後方脚部との間、そして、座席軌道アタッチメント位置の間に位置付けるクロスブレース支持構造体を提供する中間脚部と、
によって支持されている、請求項１に記載の航空機乗客座席組立体。
【請求項７】
前記座席は、航空機の縦軸と平行ではない角度で位置付けられるように構成され、前記座席が取り付けられた前記一体型座席軌道は、前記航空機の前記縦軸と平行ではない同様の角度で延在する、請求項１に記載の航空機乗客座席組立体。
【請求項８】
前記航空機側壁に最も接近した座席底面は、前記側壁から最も遠い座席底面の側面に位置付けられている１組の脚部だけによって下から支持され、前記側壁に取り付けられたレールへの前記枠のアタッチメントによって前記側壁に最も近い側面で支持されている、請求項１に記載の航空機乗客座席組立体。
【請求項９】
前記側壁に取り付けられているレールは、前記座席組立体へ向かって横方向内向きに延在する第１のフランジおよび第２のフランジを画定する細長い部材を含み、前記第１のフランジおよび前記第２のフランジの１つずつは、垂直方向に位置合わせされ、前記レールの長さに沿って離間し、ロッキング装置を中に受承する対応した開口部を有している、請求項１に記載の航空機乗客座席組立体。
【請求項１０】
前記枠は、２つの垂直方向に離間した位置において前記航空機の内部で支持されている、請求項１に記載の航空機乗客座席組立体。
【請求項１１】
（ａ）複数の横方向に位置付けられている座席を画定する少なくとも１つの座席背もたれ、座席底面、および、複数の座席脚部が取り付けられている座席枠と、
（ｂ）一体型床板座席軌道が内部に取り付けられ、床板内に取り付けられている前記一体型座席軌道から横方向にオフセットした位置で航空機デッキの長さに沿って縦方向に延在している座席取り付け軌道を含む前記航空機デッキに取り付けられるように構成されている少なくとも１つの座席床板と、
（ｃ）航空機胴体側壁に取り付けられるように構成され、前記座席底面の高さに近似する高さで胴体の長さに沿って縦方向に延在する取り付けレールと、
（ｄ）前記座席脚部を前記床板座席軌道に着脱式に固定する脚部軌道締結装置、及び、前記座席枠を前記側壁に取り付けられたレールに取り付けるための枠座席締結装置と、
を備える航空機乗客座席組立体。
【請求項１２】
前記取り付けレールは、前記座席組立体の隣接する枠要素によって支えられている締結装置を受承する規則的に離間した取り付け穴を含む、請求項１１に記載の航空機乗客座席組立体。
【請求項１３】
個々の座席底面は、この座席底面の左右の側面の少なくとも一方の下から、
（ａ）前記座席底面の前方エッジ付近から前記座席底面の前記前方エッジより前方の床板座席軌道上の位置まで延在する前方脚部と、
（ｂ）前記座席底面の後方エッジ付近から前記座席底面の前記後方エッジより後方の位置まで、前記座席底面の前記後方エッジより後方の前記床板座席軌道上の位置まで延在する後方脚部と、
（ｃ）前記前方脚部と前記座席底面との交点付近の位置から前記後方脚部と前記床底面座席軌道との交点付近の位置まで延在し、前記座席と前記座席に着席している乗客との重量を前記前方脚部と前記後方脚部との間、そして、座席軌道アタッチメント位置の間に位置付けるクロスブレース支持構造体を提供する中間脚部と、
によって支持されている、請求項１１に記載の航空機乗客座席組立体。
【請求項１４】
（ａ）少なくとも１つの座席背もたれ、座席底面、および、複数の座席脚部が取り付けられた座席枠を製造するステップと、
（ｂ）一体型床板座席軌道が内部に取り付けられている座席床板を製造し、前記座席床板を航空機デッキに取り付けるステップと、
（ｃ）取り付けレールを航空機胴体側壁に付着するステップと、
（ｄ）前記座席脚部を前記床板座席軌道に着脱式に固定すると共に、前記座席底面の高さに近似する高さで前記枠を前記側壁に取り付けられたレールに着脱式に固定するステップと、
を含む、航空機乗客座席組立体を航空機の内部に取り付ける方法。
【請求項１５】
前記床板に取り付けられている前記一体型座席軌道から横方向にオフセットした位置において航空機デッキの長さに沿って縦方向に前記座席組立体を取り付けるステップを含む、請求項１に記載の航空機乗客座席組立体。
【請求項１６】
前記取り付けレールは、胴体の長さに沿って縦方向に延在するために位置付けられている、請求項１４に記載の方法。
【請求項１７】
前記座席底面の高さに近似する高さで胴体の長さに沿って縦方向に前記取り付けレールを付着するステップを含む、請求項１４に記載の方法。
【請求項１８】
前記取り付けレール内の規則的に離間した取り付け穴に位置付けられている前記座席組立体の隣接する枠要素によって支えられている締結装置を用いて前記座席組立体を前記取り付けレールに付着するステップを含む、請求項１７に記載の方法。
【請求項１９】
２個の垂直方向に離間した位置において航空機の内部で座席組立体枠を支持するステップを含む、請求項１１に記載の方法。
【請求項２０】
前記座席底面の左右の側面の少なくとも一方の下から、
（ａ）前記座席底面の前方エッジ付近から前記座席底面の前記前方エッジより前方の前記床板座席軌道上の位置まで延在する前方脚部を位置付けることと、
（ｂ）前記座席底面の後方エッジ付近から前記座席底面の前記後方エッジより後方の前記床板座席軌道上の位置まで延在する後方脚部を位置付けることと、
（ｃ）前記前方脚部と前記座席底面との交点付近の位置から前記後方脚部と前記床板座席軌道との交点付近の位置に、前記座席と前記座席に着席している乗客との重量を前記前方脚部と前記後方脚部との間、そして、座席軌道アタッチメント位置の間に位置付けるクロスブレース支持構造体を提供する中間脚部を位置付けることと、
によって前記座席底面を支持するステップを含む、請求項１１に記載の方法。
【発明の詳細な説明】
【技術分野】
【０００１】
本発明は、一般的には、航空機乗客座席組立体（アセンブリ）の分野に関し、より詳しくは、航空機の側壁に付着する枠と、既存の床板に代わり、航空機床構造体に付着し、当初の航空機座席軌道とは異なる場所で新しい／付加的な座席軌道を一体化する関連する複合床板とを有している乗客座席組立体に関する。本発明は、乗客座席を航空機客室のデッキに固定する方法をさらに含む。
【背景技術】
【０００２】
従来の乗客座席組立体は、典型的に、客室の長さに沿って縦方向に延在する軌道の中にロックされるアンカー金具を用いて航空機のデッキに着脱式に固定された座席枠を含む。米国特許第７，０２９，２１５号および第７，２６１，３７８号は、このような装置の実例である。
【０００３】
第７，０２９，２１５号特許は、座席または貨物設備を車両の床軌道に固定する軌道締結装置組立体を開示し、権利主張する。この組立体は、前方端部および後方端部付きの下部レールを含む。ロッキング・スタッドを搬送する前方可動スライドおよび後方可動スライドは、下部レールによって搬送される。外面に螺旋溝が形成されているロッキング・ロッドは、下部レールおよびスライドに動作的に接続されている。ロッキング・ロッドの回転は、スライドを架設位置からロッキング位置へ軸方向に移動させる。スライドがロッキング位置へ移動するとき、スライドは、付着されたロッキング・スタッドと共に上向きに湾曲し、軌道締結装置組立体を軌道にクランプする。
【０００４】
第７，２６１，３７８号特許は、航空機座席の可動部品のためのロッキング設備を開示し、権利主張する。ロッキング設備は、軌道内に摺動自在に受承されるハウジングと、ハウジング内に回動的に取り付けられた対向カムの第１のペアと、解放部材とを含む。カムは、カムが軌道内部でのハウジングの摺動を阻止するロック位置と解放位置との間で移動させられる。解放部材は、カムがロック位置に維持される第１の位置とカムが解放位置に維持される第２の位置との間で選択的に移動可能である。
【０００５】
上記引例特許および多くの他の特許に記載されるような構造体は、専ら航空機のデッキを利用する。しかし、航空機座席設計、スペーシングおよび付属物における漸進的発展は、電子部品および座席支持部品を取り付けるために座席下部の下にあるエリアを利用することが多い。さらに、座席構造体全体の剛性の増大は、航空機デッキ以外のエリアにアタッチメント点を設けることにより高めることができる。これらの構造的設計限界は、座席枠の幾何学図形を制限し、利用可能な周囲アタッチメント点を利用できず、重量、複雑さ、費用の増大と、剛性の減少とをもたらす。その結果、軽量設計と、利用可能な客室スペースおよび周囲のアタッチメント点を有利に活用する全体的な幾何学図形とを有する座席枠、ならびに、座席枠を収容するために位置付けられた座席軌道を含む関連する床板構造体を設け、結果として、全体的な軽量、簡単、剛性かつ費用削減設計をもたらすことが望ましいであろう。
【先行技術文献】
【特許文献】
【０００６】
【特許文献１】米国特許第７，０２９，２１５号明細書
【特許文献２】米国特許第７，２６１，３７８号明細書
【発明の概要】
【発明が解決しようとする課題】
【０００７】
したがって、本発明の目的は、座席と航空機側壁との間に少なくとも１つのアタッチメント点を含む航空機座席を提供することである。
【課題を解決するための手段】
【０００８】
本発明の一態様によれば、航空機乗客座席組立体は、少なくとも１つの座席背もたれ、座席底面、および、複数の座席脚部が取り付けられた座席枠を備える。一体型床板座席軌道が内部に取り付けられた少なくとも１つの座席床板は、航空機デッキに取り付けられる。取り付けレールは、航空機胴体側壁に取り付けるために適合し、脚部軌道締結装置は、座席脚部を床板座席軌道と座席枠を側壁に取り付けられたレールに取り付ける枠座席締結装置とに着脱式に固定する。
【０００９】
本発明の別の態様によれば、枠は、複数の横方向に位置付けられた座席を画定する。
【００１０】
本発明の別の態様によれば、航空機デッキは、床板に取り付けられた一体型座席軌道から横方向へオフセットした位置において航空機デッキの長さに沿って縦方向に延在する座席取り付け軌道を含む。
【００１１】
本発明の別の態様によれば、取り付けレールは、座席底面の高さに近似する高さで胴体の長さに沿って縦方向に延在するために適合している。
【００１２】
本発明の別の態様によれば、取り付けレールは、座席底面の高さに近似する高さで胴体の長さに沿って縦方向に延在するために適合し、座席組立体の隣接する枠要素によって支えられた締結装置を受承する規則的に離間した取り付け穴を含む。
【００１３】
本発明の別の態様によれば、航空機乗客座席組立体は、複数の座席底面を含み、個々の座席底面は、座席底面の前方エッジ付近から座席底面の前方エッジより前方の床板座席軌道上の位置まで延在する前方脚部と、座席底面の後方エッジ付近から座席底面の後方エッジより後方の位置まで、座席底面の後方エッジより後方の床板座席軌道上の位置まで延在する後方脚部とよって、この座席底面の左右の側面の少なくとも一方の下から支持される。中間脚部は、前方脚部と座席底面との交点付近の位置から、後方脚部と床底面座席軌道との交点付近の位置まで延在し、座席と座席に着席している乗客との重量を前方脚部と後方脚部との間、そして、座席軌道アタッチメント位置の間に位置付けるクロスブレース支持構造体を提供する。
【００１４】
本発明の別の態様によれば、座席は、航空機の縦軸と平行ではない角度で位置付けるために適合し、座席が取り付けられた一体型座席軌道は、航空機の縦軸と平行ではない同様の角度で延在する。
【００１５】
本発明の別の態様によれば、航空機側壁に最も接近した座席底面は、側壁から最も遠い座席底面の側面に位置付けられた１組の脚部だけによって下から支持され、側壁に取り付けられたレールへの枠のアタッチメントによって側壁に最も近い側面で支持される。
【００１６】
本発明の別の態様によれば、側壁に取り付けられたレールは、座席組立体へ向かって横方向内向きに延在する第１のフランジおよび第２のフランジを画定する細長い部材を含み、第１のフランジおよび第２のフランジの１つずつは、垂直方向に位置合わせされ、レールの長さに沿って離間し、ロッキング装置を中に受承する対応した開口部を有している。
【００１７】
本発明の別の態様によれば、枠は、２つの垂直方向に離間した位置において航空機の内部で支持される。
【００１８】
本発明の別の態様によれば、航空機乗客座席組立体は、複数の横方向に位置付けられた座席を画定する少なくとも１つの座席背もたれ、座席底面、および、複数の座席脚部が取り付けられた座席枠と、一体型床板座席軌道が内部に取り付けられ、航空機デッキに取り付けるために適合した少なくとも１つの座席床板とを含み、航空機デッキは、床板内に取り付けられた一体型座席軌道から横方向にオフセットした位置で航空機デッキの長さに沿って縦方向に延在する座席取り付け軌道を含む。取り付けレールは、航空機胴体側壁に取り付けられ、座席底面の高さに近似する高さで胴体の長さに沿って縦方向に延在し、脚部軌道締結装置は、座席脚部を床板座席軌道と座席枠を側壁に取り付けられたレールに取り付ける枠座席締結装置とに着脱式に固定する。
【００１９】
本発明の別の態様によれば、取り付けレールは、座席組立体の隣接する枠要素によって支えられた締結装置を受承する規則的に離間した取り付け穴を含む。
【００２０】
本発明の別の態様によれば、個々の座席底面は、座席底面の前方エッジ付近から座席底面の前方エッジより前方の床板座席軌道上の位置まで延在する前方脚部と、座席底面の後方エッジ付近から座席底面の後方エッジより後方の位置まで、座席底面の後方エッジより後方の床板座席軌道上の位置まで延在する後方脚部とよって、この座席底面の左右の側面の少なくとも一方の下から支持される。中間脚部は、前方脚部と座席底面との交点付近の位置から、後方脚部と床底面座席軌道との交点付近の位置まで延在し、座席と座席に着席している乗客との重量を前方脚部と後方脚部との間、そして、座席軌道アタッチメント位置の間に位置付けるクロスブレース支持構造体を提供する。
【００２１】
本発明の別の態様によれば、少なくとも１つの座席背もたれ、座席底面、および、複数の座席脚部が取り付けられた座席枠を製造するステップと、一体型床板座席軌道が内部に取り付けられた座席床板を製造し、座席床板を航空機デッキに取り付けるステップとを含みうる航空機乗客座席組立体を航空機の内部に取り付ける方法が提供される。取り付けレールが航空機胴体側壁に付着され、座席脚部が床板座席軌道に、そして、座席底面の高さに近似する高さで枠が側壁に取り付けられたレールに着脱式に固定される。
【００２２】
本発明の別の態様によれば、この方法は、床板に取り付けられた一体型座席軌道から横方向にオフセットした位置において航空機デッキの長さに沿って縦方向に座席組立体を取り付けるステップを含む。
【００２３】
本発明の別の態様によれば、取り付けレールは、胴体の長さに沿って縦方向に延在するために位置付けられている。
【００２４】
本発明の別の態様によれば、この方法は、取り付けレール内の規則的に離間した取り付け穴に位置付けられた座席組立体の隣接する枠要素によって支えられた締結装置を用いて座席組立体を取り付けレールに付着するステップを含む。
【００２５】
本発明の別の態様によれば、この方法は、取り付けレール内の規則的に離間した取り付け穴に位置付けられた座席組立体の隣接する枠要素によって支えられた締結装置を用いて座席組立体を取り付けレールに付着するステップを含む。
【００２６】
本発明の別の態様によれば、この方法は、２個の垂直方向に離間した位置において航空機の内部で座席組立体枠を支持するステップを含む。
【００２７】
本発明の別の態様によれば、この方法は、座席底面の前方エッジ付近から座席底面の前方エッジより前方の床板座席軌道上の位置まで延在する前方脚部を位置付けることにより、座席底面の左右の側面の少なくとも一方の下から座席底面を支持するステップを含む。後方脚部は、座席底面の後方エッジ付近から座席底面の後方エッジより後方の位置まで位置付けられる。中間脚部は、前方脚部と座席底面との交点付近の位置から後方脚部と床板座席軌道との交点付近の位置まで位置付けられ、座席と座席に着席している乗客との重量を前方脚部と後方脚部との間、そして、座席軌道アタッチメント位置の間に位置付けるクロスブレース支持構造体を提供する。
【００２８】
本発明の上記およびその他の特徴と態様と利点とは、添付図面を参照して本発明の以下の詳細な説明を読むときに理解される。
【図面の簡単な説明】
【００２９】
【図１】本発明の一実施形態による座席軌道を含む側壁アタッチメントおよび関連する床板を有している乗客座席組立体の前方斜視図である。
【図２】航空機床構造体をさらに示す図１の座席組立体の正面図である。
【図３】座席組立体、座席軌道および壁マウントの分離正面図である。
【図４】図３の座席組立体の分離背面図である。
【図５】航空機側壁構造体への壁マウントアタッチメントを示した図である。
【図６】壁マウントアタッチメントの詳細図である。
【図７】壁マウントアタッチメントの別の図である。
【図８】壁板を通る壁マウントアタッチメントを示した詳細図である。
【図９】航空機床構造体への床板のアタッチメントを示した床板の斜視図である。
【図１０】床板および座席軌道の断面図である。
【図１１】後方軌道金具の詳細図である。
【図１２】図１１の軌道締結装置の分離図である。
【図１３】前方軌道金具の詳細図である。
【発明を実施するための形態】
【００３０】
図１〜図４を参照すると、航空機座席組立体と、一体型座席軌道を含む関連する床板とが示される。全体的に符号２０で示された座席組立体は、３組の脚部によって支持され、一方の段部で航空機の側壁に支持された３つの座席ユニットを含む。しかし、座席組立体は、より多数または少数の座席と、対応する組数の脚部とを含みうると想定される。座席組立体２０は、航空機床構造体２４に固定され、当初の床板と置き換えられ、そして、当初の航空機座席軌道とは異なる場所で新しい／付加的な座席軌道２６を一体化する複数の下にある複合床板２２に着脱式に固定される。
【００３１】
座席組立体２０は、集合的に３座席ユニットを形成する座席背もたれ２８と座席底面３０と支持脚部３２とアームレスト３４とを画定する枠部分を含む。図示されないが、座席組立体２０は、限定されることはないが、座席底面長さ調節器、レッグレストおよび可動ヘッドレストのような付加構造部品を含みうる。個々の座席背もたれ２８および座席底面３０は、好ましくは、乗客に快適さをもたらすために詰め物をされ、そして、布張りされうるシェル構造体、ウェビング構造体または他の支持構造体が架けられる。
【００３２】
図３に最もよく示されるように、個々の座席底面３０は、座席底面３０の前方エッジ付近から座席底面３０の前方エッジより前方の座席軌道２６の位置まで延在する前方脚部３６と、座席底面３０の後方エッジ付近から座席底面３０の後方エッジより後方の位置まで延在する後方脚部３８と、前方脚部３６と座席底面３０との交点付近から後方脚部３８と座席軌道２６との交点付近まで、したがって、水平に対しておよそ４５度の角度で延在する中間脚部４０とを含む脚部の組によって、座席底面の左右の側面のうちの少なくとも一方で下から支持される。この脚部配置は、このようにして、アタッチメント点の上に直接的ではなく、座席および乗客の重量を前方脚部／座席軌道アタッチメント点と後方脚部／座席軌道アタッチメント点との間に位置付ける支持構造体を形成する。脚部４０の角度およびアタッチメント点は、支持構造体に安定性をもたらし、座席底面３０がこの座席底面の横方向（すなわち、左右）軸周りに動くことを阻止するクロスブレースとしての役目を果たす。
【００３３】
図８を参照すると、航空機側壁４２に最も接近した座席は、側壁４２から最も遠い座席の側面に位置付けられた１組の脚部だけによって下から支持され、図５〜図７に示されるように、側壁板および下にある壁マウント構造体に固定された軌道４４へのアタッチメントを用いて座席のもう一方の側面で支持される。軌道４４は、直線的に配置され、かつ、等間隔で離間し、貫通する締結装置を受承する複数の開口部を画定する。軌道４４は、ほぼ水平に、または、座席枠上のアタッチメント点、たとえば、おおよそ座席底面の前方エッジおよび後方エッジと一直線上に位置している２個のアタッチメント点によって画定された角度で配置される。軌道４４は、同様の締結装置を受承するために座席軌道２６の開口部に類似した開口部を画定しうる。軌道４４は、側壁板６０を介して下にある壁マウント構造体に固定され、開口部は、座席組立体２０に対向して位置付けられるので、床板２２にほぼ垂直である。
【００３４】
座席組立体２０の複数の前方脚部３６は、下にある床板２２から僅かに高く、かつ、離間して位置付けられ、よって、後方に位置付けられた座席のための荷物止め／フットレストとして役立つほぼ水平方向の横断部材４６によって相互接続される。側壁４２に隣接して、横断部材４６は、側壁の曲率に沿う角度で上向きに湾曲し、側壁に最も接近し、かつ、軌道４４への座席組立体のアタッチメント点に近接した座席底面３０の前方エッジとのアタッチメント点で終端する。図示されるように、個々の座席背もたれ２８は、弓形先端部を画定し、後方に位置付けられた乗客による使用のための選択的に配置可能なトレーテーブル組立体４８を支持する。当業者に知られているように、座席背もたれ２８は、好ましくは、乗客の快適さのため直立位置とリクライニング位置との間で移動するように構成されている。
【００３５】
図５〜図７を参照すると、軌道４４のための下にある壁マウント支持構造体が示される。壁マウント支持構造体は、座席組立体の方へ横方向に延在し、１つずつが軌道４４の長さに沿って直線的に、かつ、等間隔に離間した対応する開口部５６を画定する第１のフランジ５２および第２のフランジ５４を画定する細長い部材５０を含む。軌道４４は、下にある支持梁５８との個々の交点で広くなり、隣接する梁の間で狭くなりうる。軌道４４は、支持梁５８によって背後から、そして、隣接する支持梁の間に設置されたスロット付きウェビング６２によって支持される。ブラケットは、ウェビング６２を梁５８へ接続するために使用されてもよい。
【００３６】
一実施形態では、細長い部材５０は、側壁構造体の完全性を保存するために下にある梁への直接的なアタッチメントがなくてもよい。別の実施形態では、部材５０は、梁５８およびウェビング６２の両方に留められる。さらなる実施形態では、ウェビング６２は、枠を梁に付着する既存のはさみクリップにとって代わる。具体的に図６を参照すると、機械加工クリップ６４は、ウェビング６２を梁に付着する。一実施形態では、軌道４４および部材５０は、本明細書に示されたいずれかの部品の構造を有している同じ部品である。
【００３７】
図９および図１０を参照すると、複数の複合床板２２の１つずつは、ほぼ矩形状の形状であり、端から端まで板の長さに沿って縦方向に延び、かつ、航空機の縦軸にほぼ平行に位置付けられた少なくとも１つの座席軌道２６を含む。１枚の板２２当たりの座席軌道２６の個数は、床を横切る長さ（すなわち、幅）と、座席組立体２０の脚部の組の対応する位置とに依存する。板２２は、下にある航空機床構造体の枠組みに応じた寸法および形状にされてもよい。座席が航空機の縦軸と平行ではない角度で位置付けられた場合、座席軌道位置は、この角度も受け入れるように調整されることになると想定される。個々の板２２は、カーペットで覆われ、絶縁され、さらに遮蔽等されうる航空機のデッキを画定するほぼ平面状の上面を画定し、垂直方向上向きに延在する座席軌道を含む。板２２は、航空機建造において知られる何らかの従来的な締結装置または技術を使用して、床接合部４６のような航空機構造体に固定される。航空機の長さに沿って配置された板２２は、好ましくは、座席軌道２６が縦方向に位置合わせされるように位置合わせされる。
【００３８】
具体的に図９を参照すると、当初の座席軌道が６６で示され、コックピット背後から床構造体を見たときに座席軌道２６の望ましい位置から左側にシフトされて示される。図１０を参照すると、幅に沿った板２２および座席軌道２６の断面図は、座席軌道２６が板２２の残りの部分より上および下の両方に延在することを示し、一実施形態では、グラファイト管６８が座席軌道押出を隠すために使用される。板２２は、強度および重量節約の利点のため複合材料から製造されてもよい。
【００３９】
図１１および図１２を参照すると、後方軌道金具は、後方脚部３８および中間脚部４０を座席軌道２６に着脱式に固定するために機能する。後方脚部３８および中間脚部４０は、ブラケット組立体７４の対向するプレート７０、７２の第１の端部で終端し、第１の端部の間に固定される。後方軌道締結装置７６は、この後方軌道締結装置の第１の端部でプレート７０、７２の第２の端部の間に固定され、後方軌道締結装置７６を座席軌道２６に固定するＥナットのような締結装置７８を受承するため貫通する少なくとも１つの開口部を画定する。ブラケット組立体７４と相対的な後方軌道締結装置７６の回動運動は、座席軌道２６上の後方軌道締結装置７６の適切な着座を可能にするベアリング８０の使用によって実現し易くされうる。後方軌道締結装置７６は、好ましくは、確実なアタッチメントを行い、座席軌道２６と相対的な座席組立体２０の捻れを阻止するために２個以上の締結装置アタッチメント点を含む。締結装置７８は、後方軌道締結装置７６を貫通して画定された隣接する開口部８２の中に受承され、座席軌道２６を貫通して画定された適切な下にある隣接する開口部８４の内部で係止する。締結装置７８は、不正操作を防止するために挿入／取り外し用の特殊なツールを必要とするように構成されてもよい。図示されるように、座席軌道２６は、座席軌道締結装置７６が座席軌道の長さに沿って何れかの望ましい点で付着されるように、等間隔で離間した、複数の直線状に配置された開口部８４を含む。
【００４０】
図１３を参照すると、前方軌道金具は、前方脚部３６を座席軌道２６に着脱式に固定するために機能する。前方脚部３６は、脚部からオフセットし、締結装置８６および座席軌道２６を貫通して画定され、位置合わせされた開口部の中に受承されるＥナットのような貫通する締結装置７８を受承する第１の開口部８８を画定する前方軌道締結装置８６に付着する。前方軌道締結装置８６は、前方脚部３６が着座し、固定される平坦部９０をさらに画定する。図示されるように、前方軌道締結装置８６は、ボルトまたは他の締結装置を係止するためにねじ切りされた、貫通するねじ付き開口部９４を画定するバレルナット９２を用いて前方脚部３６に固定される。ボルトは、前方軌道締結装置８６の下から受承され、締結装置を通り、脚部３６に画定された開口部を通り、バレルナット９２と係止してもよい。ボルトは、座席軌道２６の中の開口部をさらに係止してもよい。
【００４１】
座席組立体と座席軌道を有している関連する代わりとなる床板とは、具体的な実施形態および実施例に関して説明されているが、本発明の様々な詳細は、本発明の範囲から逸脱することなく変更されうると想定される。さらに、請求項によって規定された本発明の好ましい実施形態および本発明を実施するための最良の形態の上記説明は、限定の目的ではなく、例示の目的のためだけに提示される。
【図１】
2013522122.tif 000003
【図２】
2013522122.tif 000004
【図３】
2013522122.tif 000005
【図４】
2013522122.tif 000006
【図５】
2013522122.tif 000007
【図６】
2013522122.tif 000008
【図７】
2013522122.tif 000009
【図８】
2013522122.tif 000010
【図９】
2013522122.tif 000011
【図１０】
2013522122.tif 000012
【図１１】
2013522122.tif 000013
【図１２】
2013522122.tif 000014
【図１３】
2013522122.tif 000015
【国際調査報告】
2013522122.tif 000016